(57)【要約】【課題】電線の径や被覆の厚さに関わらず、確実に押し切り電極を電線に電気的に接続させることができる計器取替用の無停電工具を提供する。【解決手段】複数の電線挿入部１２が計器１の各電線２をそれぞれ挿入可能に工具本体１１に設けられる。受け部材１３が各電線挿入部１２の開口を塞ぐよう設けられる。複数の電線用押さえ部材１４がそれぞれ先端にＶ字溝を有し、先端から後端にかけて貫通孔２９を有する。各電線用押さえ部材１４は、各電線挿入部１２に挿入された各電線２を先端で受け部材１３との間に挟んで固定するよう、貫通孔２９を移動方向に沿わせて各電線挿入部１２の奥側に形成された奥部孔１２ａから開口側に向かって移動可能である。複数の押し切り電極１５が各電線用押さえ部材１４により固定された各電線２の被覆を破って電気的に接続するよう、各電線用押さえ部材１４の貫通孔２９を通って各電線挿入部１２に突出可能である。【選択図】図１
2014098562.tif 000002
【特許請求の範囲】
【請求項１】
計器を無停電で取り替えるための無停電工具であって、
工具本体と、
前記工具本体に設けられた押さえ部材挿入部と、
前記工具本体の前部に設けられた電線挿入部と、
前記電線挿入部の開口を塞ぐための受け部材と、
前記電線挿入部に挿入された電線を、先端で前記受け部材との間に挟んで固定するよう、前記押さえ部材挿入部に備えられて、前記電線挿入部に突出可能に設けられた電線用押さえ部材と、
前記工具本体の後部に設けられた押し切り電極挿入部と、
前記電線用押さえ部材により固定された前記電線の被覆を破って電気的に接続するよう、前記押し切り電極挿入部に挿入されて、前記電線挿入部に突出可能に設けられた押し切り電極とを有し、
前記電線用押さえ部材は、前記電線が前記電線挿入部の幅の中心部に配置されるよう、先端にＶ字溝を有していることを
特徴とする計器取替用の無停電工具。
【請求項２】
計器を無停電で取り替えるために、前記計器に接続された互いに対応する電源側の複数の電線と負荷側の複数の電線とを電気的に接続させるのに使用される計器取替用の無停電工具であって、
工具本体と、
前記計器の各電線をそれぞれ挿入可能に前記工具本体に設けられた複数の電線挿入部と、
各電線挿入部の開口を塞ぐための受け部材と、
前記電線が前記電線挿入部の幅の中心部に配置されるようそれぞれ先端にＶ字溝を有し、先端から後端にかけて貫通孔を有し、各電線挿入部に挿入された各電線を先端で前記受け部材との間に挟んで固定するよう、それぞれ前記貫通孔を移動方向に沿わせて各電線挿入部の奥側に形成された奥部孔から開口側に向かって移動可能に設けられた複数の電線用押さえ部材と、
各電線用押さえ部材により固定された各電線の被覆を破って電気的に接続するよう、それぞれ各電線用押さえ部材の前記貫通孔を通って各電線挿入部に突出可能に設けられた複数の押し切り電極とを有することを、
特徴とする計器取替用の無停電工具。
【請求項３】
各電線用押さえ部材は、各押し切り電極と共に移動可能に弾性部材を介して各押し切り電極に取り付けられており、各電線挿入部の前記奥部孔から開口側に向かって各押し切り電極と共に移動するよう構成され、
各押し切り電極は、各電線用押さえ部材が前記受け部材との間に各電線を挟んで移動を停止したとき、前記弾性部材の弾性力に抗して前記貫通孔から突出するよう構成されていることを、
特徴とする請求項２記載の計器取替用の無停電工具。
【請求項４】
前記貫通孔は前記Ｖ字溝の中心に貫通していることを、特徴とする請求項２または３記載の計器取替用の無停電工具。
【請求項５】
前記押し切り電極の径が、３ｍｍ乃至７ｍｍであることを特徴とする請求項１乃至４のいずれか１項に記載の計器取替用の無停電工具。
【発明の詳細な説明】
【技術分野】
【０００１】
本発明は、電力量計などの計器取替用の無停電工具に関する。
【背景技術】
【０００２】
従来、電力量計などの計器を、交換や修理、点検などのために取り替えるとき、必要に応じて電力量計などの計器取替用の無停電工具を使用して、電力供給を停止することなく無停電で作業することが行われている。このような計器取替用の無停電工具として、工具本体の一側辺部に凹入形成されて電力量計の各電線を側方から差込み可能な複数の挿入溝と、各挿入溝の開口部を閉鎖して各挿入溝に差込まれた各電線を受け止める受け部材と、各挿入溝の幅方向の寸法よりも僅かに小さい外径を有し、各挿入溝の奥側から開口側へ向かっての螺進操作にともない、その先端刃部で各挿入溝に差込まれた各電線の被覆を破って各電線の導体に接触し電気的に接続される押し切り電極とを備えたものがある（例えば、特許文献１または２参照）。
【先行技術文献】
【特許文献】
【０００３】
【特許文献１】特開平８−７５７９１号公報
【特許文献２】特開平８−７５７８８号公報
【発明の概要】
【発明が解決しようとする課題】
【０００４】
特許文献１に記載の無停電工具は、押し切り電極と電線とを確実に接続するよう、押し切り電極の外径を、挿入溝の幅より僅かに小さい程度まで大きくしているため、被覆の厚い電線の場合、押し切る力が足らず電線の被覆を破りにくいという課題があった。被覆を破るために押し切り電極に加える力を大きくすると、それに耐えるように工具本体の強度を上げる必要があり、高価なものになってしまう。
【０００５】
そこで、押し切り電極に加える力を変えずに押し切る力を上げるため、押し切り電極の外径を細くした場合、押し切り電極の回転作用により電線が横に逃げてしまい、押し切り電極が電線の被覆を破れない、または、横にずれた状態で被覆を破き、電極と導体とが正対せず、接触不完全になるという課題があった。
【０００６】
また、特許文献２に記載の無停電工具は、押し切り電極先端の四つ割り刃部により電線の被覆を破る構造になっており、被覆の厚い電線の場合、刃部の深さが足りず破れないという課題があった。四つ割り刃部の長さを延ばすと、強度が低下して刃部が破損してしまう。また、四つ割り部によってより線の素線を破断してしまう。更に、刃部の長さを延ばしたまま四つ割りを設けない場合には、四つ割り部の削り作用が無くなり、被覆を破れなくなってしまう。
【０００７】
本発明は、このような課題に着目してなされたもので、電線の径や被覆の厚さに関わらず、確実に押し切り電極を電線に電気的に接続させることができる計器取替用の無停電工具を提供することを目的としている。
【課題を解決するための手段】
【０００８】
上記目的を達成するために、本発明に係る計器取替用の無停電工具は、計器を無停電で取り替えるための無停電工具であって、工具本体と、前記工具本体に設けられた押さえ部材挿入部と、前記工具本体の前部に設けられた電線挿入部と、前記電線挿入部の開口を塞ぐための受け部材と、前記電線挿入部に挿入された電線を、先端で前記受け部材との間に挟んで固定するよう、前記押さえ部材挿入部に備えられて、前記電線挿入部に突出可能に設けられた電線用押さえ部材と、前記工具本体の後部に設けられた押し切り電極挿入部と、前記電線用押さえ部材により固定された前記電線の被覆を破って電気的に接続するよう、前記押し切り電極挿入部に挿入されて、前記電線挿入部に突出可能に設けられた押し切り電極とを有し、前記電線用押さえ部材は、前記電線が前記電線挿入部の幅の中心部に配置されるよう、先端にＶ字溝を有していることを特徴とする。
【０００９】
また、本発明に係る計器取替用の無停電工具は、計器を無停電で取り替えるために、前記計器に接続された互いに対応する電源側の複数の電線と負荷側の複数の電線とを電気的に接続させるのに使用される計器取替用の無停電工具であって、工具本体と、前記計器の各電線をそれぞれ挿入可能に前記工具本体に設けられた複数の電線挿入部と、各電線挿入部の開口を塞ぐための受け部材と、前記電線が前記電線挿入部の幅の中心部に配置されるようそれぞれ先端にＶ字溝を有し、先端から後端にかけて貫通孔を有し、各電線挿入部に挿入された各電線を先端で前記受け部材との間に挟んで固定するよう、それぞれ前記貫通孔を移動方向に沿わせて各電線挿入部の奥側に形成された奥部孔から開口側に向かって移動可能に設けられた複数の電線用押さえ部材と、各電線用押さえ部材により固定された各電線の被覆を破って電気的に接続するよう、それぞれ各電線用押さえ部材の前記貫通孔を通って各電線挿入部に突出可能に設けられた複数の押し切り電極とを有していてもよい。この場合、前記貫通孔は前記Ｖ字溝の中心に貫通していることが好ましい。
【００１０】
本発明に係る計器取替用の無停電工具は、計器に接続された互いに対応する電源側の電線と負荷側の電線とを電気的に接続させるために、以下のようにして使用される。まず、計器の各電線を工具本体の複数の電線挿入部にそれぞれ挿入し、受け部材で各電線挿入部の開口を塞ぐ。各電線挿入部に設けられた複数の電線用押さえ部材を、各電線挿入部の奥側に形成された奥部孔から開口側に向かって移動させて、各電線挿入部に挿入された各電線を、先端のＶ字溝で受け部材との間に挟んで固定する。
【００１１】
この状態で、各電線挿入部に対応して設けられた複数の押し切り電極を各電線挿入部の開口側に向かって移動させ、各電線用押さえ部材の貫通孔を通して各電線挿入部に突出させる。このとき、各押し切り電極の先端が、各電線用押さえ部材で固定された各電線の被覆を破るまで各押し切り電極を移動させることにより、各押し切り電極と各電線とを電気的に接続することができる。互いに対応する電源側の電線と負荷側の電線とが電気的に接続するよう、あらかじめ対応する押し切り電極同士を工具本体内部で接続しておくことにより、計器の手前でバイパス回路を形成することができ、無停電で計器の取替を行うことができる。
【００１２】
本発明に係る計器取替用の無停電工具は、各電線用押さえ部材のＶ字溝により、各電線の径が細いものであっても、各電線をＶ字溝の中心に寄せて配置することができる。このため、貫通孔から突出する各押し切り電極を、各電線の中心に確実に電気的に接続することができる。また、各押し切り電極を細くすることができ、被覆が厚い電線であっても、押し切り電極で電線の被覆を破りやすくすることができる。Ｖ字溝の内壁により各電線が横方向に移動するのを抑制することができるため、各押し切り電極で各電線の被覆を破る際にも各電線が動かず、各押し切り電極を確実に各電線に接続することができる。このように、本発明に係る計器取替用の無停電工具は、電線の径や被覆の厚さに関わらず、確実に押し切り電極を電線に電気的に接続させることができる。なお、Ｖ字溝は、開き角度が６０乃至９５度であることが好ましい。この場合、各電線の径の大きさに関わらず、確実に各電線をＶ字溝の中心に寄せて固定することができる。
【００１３】
各電線用押さえ部材および各押し切り電極は、各電線挿入部の奥側の奥部孔から開口側に向かって、いかなる構成で移動可能であってもよい。例えばスライドして移動可能になっていてもよく、工具本体に螺合した状態で、移動方向に沿った中心軸周りに回転しながら移動可能になっていてもよい。また、各電線用押さえ部材および各押し切り電極は、計器の取替作業終了後、各電線挿入部の開口側から奥側の奥部孔に向かって、元の位置まで戻るようになっていることが好ましい。また、各電線用押さえ部材は、すべりの良い材質から成ることが好ましい。各電線挿入部は、Ｕ字溝などの開口を有する溝形状を成していることが好ましい。
【００１４】
本発明に係る計器取替用の無停電工具は、工具本体の表面に、各押し切り電極が各電線と電気的に接続してバイパス回路が確実に形成されたことを知らせるための表示部を有していてもよい。表示部は、例えばＬＥＤから成り、バイパス回路の形成を光で知らせるよう構成されていてもよい。
【００１５】
本発明に係る計器取替用の無停電工具で、各電線用押さえ部材は、各押し切り電極と共に移動可能に弾性部材を介して各押し切り電極に取り付けられており、各電線挿入部の前記奥部孔から開口側に向かって各押し切り電極と共に移動するよう構成され、各押し切り電極は、各電線用押さえ部材が前記受け部材との間に各電線を挟んで移動を停止したとき、前記弾性部材の弾性力に抗して前記貫通孔から突出するよう構成されていることが好ましい。この場合、各押し切り電極を移動させるだけで、各電線用押さえ部材で各電線を固定し、各押し切り電極で各電線の被覆を破り、各押し切り電極を導体と接触させて電気的に接続させることができる。弾性部材により、各電線用押さえ部材で各電線を受け部材に弾性的に押し付けて固定することができる。弾性部材は、圧縮バネが好適であるが、ゴム材で形成されていてもよい。
【００１６】
本発明に係る計器取替用の無停電工具で、各押し切り電極は、細い径の方が小さい力で電線の被覆を破ることができるが、Ｖ字溝の開き角度の制約を考慮すると、径が３ｍｍ乃至７ｍｍであることが好ましい。
【発明の効果】
【００１７】
本発明によれば、電線の径や被覆の厚さに関わらず、確実に押し切り電極を電線に電気的に接続させることができる計器取替用の無停電工具を提供することができる。
【図面の簡単な説明】
【００１８】
【図１】本発明の実施の形態の計器取替用の無停電工具を示す（ａ）正面図、（ｂ）底面図、（ｃ）Ａ−Ａ’線断面図、（ｄ）電線用押さえ部材の斜視図である。
【図２】図１に示す計器取替用の無停電工具の、押し切り電極と発光表示部と電流検出部との接続状態を示す回路図である。
【図３】図１に示す計器取替用の無停電工具の使用状態を示す斜視図である。
【図４】図１に示す計器取替用の無停電工具の使用状態を示す、工具本体の内部の底面図である。
【図５】本発明の実施の形態の計器取替用の無停電工具の、単相２線式計器用の変形例を示す斜視図である。
【発明を実施するための形態】
【００１９】
以下、図面に基づき、本発明の実施の形態について説明する。
図１乃至図５は、本発明の実施の形態の計器取替用の無停電工具を示している。
図１に示すように、計器取替用の無停電工具１０は、工具本体１１と複数の電線挿入部１２と受け部材１３と複数の電線用押さえ部材１４と複数の押し切り電極１５と発光表示部１６と電流検出部１７とを有している。
【００２０】
計器取替用の無停電工具１０は、低圧電力量計などの計器１を無停電で取り替えるために、計器１に接続された互いに対応する電源側の電線２と負荷側の電線２とを電気的に接続させるのに使用される。なお、具体的な一例では、計器１の電源側の電線２および負荷側の電線２はそれぞれ３本ずつから成り、電線挿入部１２、各電線用押さえ部材１４および各押し切り電極１５は６つから成っている。
【００２１】
図１（ａ）〜（ｃ）に示すように、工具本体１１は、絶縁性の素材で形成されたケーシングから成り、厚みがある箱型の回路収納部２１と、回路収納部２１から一方に向かって伸びる薄い箱型の押さえ部材挿入部２２とを有している。工具本体１１は、回路収納部２１の端面に、左右に並んだ６つの押し切り電極挿入部２３を有している。また、工具本体１１は、回路収納部２１の内部に、各押し切り電極挿入部２３に対応して配置され、内側に雌ネジが形成された６つの螺合孔２４を有している。
【００２２】
各電線挿入部１２は、工具本体１１の押さえ部材挿入部２２の先端側の側縁部に、各押し切り電極挿入部２３に対応するよう並んで設けられている。各電線挿入部１２は、所定の深さのＵ字溝から成り、押さえ部材挿入部２２の厚みに沿って、押さえ部材挿入部２２の表面側から裏面側まで貫通して設けられている。各電線挿入部１２は、計器１の各電線２をそれぞれ１本ずつ別々に挿入可能に、各電線２のそれぞれに対応して設けられている。また、各電線挿入部１２は、最深部が押さえ部材挿入部２２の内部に連通するよう、奥側に奥部孔１２ａが形成されている。
【００２３】
工具本体１１は、押さえ部材挿入部２２の先端部に、一方の側面から他方の側面まで、側縁に沿って各電線挿入部１２を貫通するよう形成された挿入孔２５を有している。挿入孔２５は、押さえ部材挿入部２２の先端面からやや内側に入った位置に設けられている。受け部材１３は、２本の円柱状の絶縁体から成っている。各受け部材１３は、それぞれ左右から挿入孔２５に挿入して、全ての電線挿入部１２の開口を塞ぐよう設けられている。
【００２４】
図１（ｄ）に示すように、各電線用押さえ部材１４は、やや細長い角柱状を成し、先端に左右に貫通するＶ字溝２６と、Ｖ字溝２６に垂直に交わるＵ字溝２７とを有している。Ｖ字溝２６は、開き角度が６０乃至９５度であり、最深部が一方の端面の中心を通るよう形成されている。Ｕ字溝２７は、受け部材１３の径と同じ大きさの曲率を有している。また、各電線用押さえ部材１４は、他方の端部に左右に突出したフランジ部２８を有している。各電線用押さえ部材１４は、長さ方向に沿って、先端から後端にかけて中央部を貫通する貫通孔２９を有している。貫通孔２９は、Ｖ字溝２６の中心を貫通している。
【００２５】
図１（ａ）〜（ｃ）に示すように、各押し切り電極１５は、細長く、導電性の金属材料から成っている。各押し切り電極１５は、先端側に各電線用押さえ部材１４の貫通孔２９に挿入可能な径を有する接続部３０と、中央付近に周方向に沿って側方に突出するよう設けられた留め部３１と、後端側の側面に工具本体１１の螺合孔２４に螺合可能な雄ネジが形成された螺合部３２とを有している。また、各押し切り電極１５は、後端側の端面にマイナスドライバーを係合可能に構成されている。
【００２６】
各電線用押さえ部材１４および各押し切り電極１５は、それぞれ各電線挿入部１２に対応して、工具本体１１の内部に設けられている。各電線用押さえ部材１４は、貫通孔２９を移動方向に沿わせて各電線挿入部１２の奥側に形成された奥部孔１２ａから開口側に向かって移動可能である。各電線挿入部１２の奥部孔１２ａは、各押し切り電極挿入部２３に連通している。各電線用押さえ部材１４および各押し切り電極１５は、フランジ部２８と留め部３１との間に圧縮バネ３３を挟んで、貫通孔２９に接続部３０を挿入した状態で取り付けられている。各電線用押さえ部材１４および各押し切り電極１５は、各押し切り電極挿入部２３から工具本体１１の内部を通って各電線挿入部１２に向かって挿入され、工具本体１１の螺合孔２４に螺合部３２を螺合させている。各押し切り電極１５は、Ｖ字溝２６が各電線挿入部１２の奥に配置され、後端側の端面が各押し切り電極挿入部２３に配置されるよう取り付けられている。このとき、Ｖ字溝２６が各電線挿入部１２の長さ方向に沿うようにして取り付けられている。
【００２７】
これにより、各押し切り電極１５の後端側の端面にマイナスドライバーを係合して締める方向に回転させると、各電線挿入部１２の奥部孔１２ａから開口側に向かって、各押し切り電極１５と各電線用押さえ部材１４とが共に移動するようになっている。また、その移動中に、各電線用押さえ部材１４が先端のＶ字溝２６で受け部材１３との間に各電線２を挟んで固定し、移動を停止したとき、各押し切り電極１５が圧縮バネ３３の弾性力に抗して貫通孔２９を通って各電線挿入部１２に突出するよう構成されている。なお、各押し切り電極１５は、対応する電源側の電線２と負荷側の電線２とが挿入される電線挿入部１２に配置されたもの同士が、工具本体１１の内部であらかじめ互いに電気的に接続されている。
【００２８】
なお、各電線用押さえ部材１４のＶ字溝２６は、径が細い電線２を確実にＶ字溝２６の中心へ誘導するため、極力小さい開き角度を有していることが好ましいが、その場合、Ｖ字溝２６の深さが大きくなるため、電線用押さえ部材１４の長さおよび圧縮バネ３３の長さを調整し、対象となる電線２の外径から最も適した開き角度にする必要がある。例えば、一般家屋の電気配線に使用されている電線の中で最も細い外径３．２ｍｍの電線を押さえるためには、Ｖ字溝２６の開き角度は、電線用押さえ部材１４の機械的強度を勘案すると、６０乃至９５度が好適である。
【００２９】
各押し切り電極１５は、細い径のほうが押し切り電極に加える力が小さく済むが、そのためには、より正確にＶ字溝２６の中心に電線２を誘導する必要があり、Ｖ字溝２６の開き角度を小さくしなければならない。しかし、Ｖ字溝２６の開き角度には制約があるため、各押し切り電極１５の径は、３ｍｍ乃至７ｍｍが好適である。
【００３０】
図１（ａ）、（ｃ）および図２に示すように、発光表示部１６は、３つのＬＥＤから成り、回路収納部２１の端面に設けられている。図２に示すように、電流検出部１７は、３つから成り、互いに接続された３つの押し切り電極１５の組および各発光表示部１６のそれぞれに対応して設けられている。電流検出部１７は、各押し切り電極１５の組に電流が流れるのを検出可能になっている。各発光表示部１６は、対応する電流検出部１７が電流を検出したとき発光するようになっている。
【００３１】
次に、作用について説明する。
計器取替用の無停電工具１０は、計器１に接続された互いに対応する電源側の電線２と負荷側の電線２とを電気的に接続させるために、以下のようにして使用される。まず、図３（ａ）および図４（ａ）に示すように、受け部材１３を外した状態で、計器１の各電線２を工具本体１１の各電線挿入部１２に１本ずつ別々に挿入する。次に、図３（ｂ）および図４（ｂ）に示すように、受け部材１３を工具本体１１の挿入孔２５に挿入して、各電線挿入部１２の開口を塞ぐ。
【００３２】
図４（ｃ）に示すように、各押し切り電極１５の後端側の端面にマイナスドライバーを係合して締める方向に回転させ、各押し切り電極１５を各電線挿入部１２の奥側から開口側に向かって螺進させる。これにより、各電線用押さえ部材１４も各電線挿入部１２の奥側から開口側に向かって移動し、奥部孔１２ａを通って各電線挿入部１２に突出し、受け部材１３との間に各電線２を挟む。このとき、各電線用押さえ部材１４のＶ字溝２６により、各電線２をＶ字溝２６の中心、すなわち各電線挿入部１２の幅の中心部に寄せて配置することができる。また、Ｕ字溝２７により、受け部材１３がＶ字溝２６の奥まで入り込むことができるため、電線２の径が細く、たとえＶ字溝２６の深さよりも小さいものであっても、その電線２をＶ字溝２６の中心に寄せて配置することができる。Ｖ字溝２６の開き角度が６０乃至９５度であるため、各電線２の径の大きさに関わらず、確実に各電線２をＶ字溝２６の中心に寄せて固定することができる。また、圧縮バネ３３により、各電線用押さえ部材１４で各電線２を受け部材１３に弾性的に押し付けて固定することができる。
【００３３】
図４（ｄ）に示すように、各電線用押さえ部材１４が受け部材１３との間に各電線２を挟んで移動を停止しても、引き続き各押し切り電極１５を締める方向に回転させる。これにより、圧縮バネ３３の弾性力に抗して、各押し切り電極１５の接続部３０の先端を貫通孔２９から突出させることができる。各押し切り電極１５の接続部３０の先端が、各電線用押さえ部材１４で固定された各電線２の被覆を破るまで各押し切り電極１５を各電線挿入部１２の開口側に向かって螺進させることにより、各押し切り電極１５と各電線２とを電気的に接続することができる。このとき、各電線２をＶ字溝２６の中心に寄せて固定しているため、各押し切り電極１５を細くすることができ、押し切り電極１５で電線２の被覆を破りやすくすることができる。また、Ｖ字溝２６の内壁により各電線２が横方向に移動するのを抑制することができるため、各押し切り電極１５で各電線２の被覆を破る際にも各電線２が動かない。このため、各押し切り電極１５で確実に各電線２の長さ方向に沿った中心軸付近の被膜を破り、各押し切り電極１５を各電線２の導体と最も安定した状態である正対した状態で接触させて接続させることができる。
【００３４】
互いに対応する電源側の電線２と負荷側の電線２とが電気的に接続するよう、あらかじめ対応する押し切り電極１５同士を工具本体１１の内部で接続しているため、全ての押し切り電極１５と電線２とを接続することにより、計器１の手前でバイパス回路を形成することができる。このとき、発光表示部１６により、各押し切り電極１５が各電線２と電気的に接続してバイパス回路が確実に形成されたことを知らせることができる。このため、各発光表示部１６の発光を確認して、安全かつ確実に無停電で計器１の取替を行うことができる。計器１の取替作業終了後、各押し切り電極１５をマイナスドライバーで緩める方向に回転させることにより、各押し切り電極１５を各電線２から外して、各押し切り電極１５および各電線用押さえ部材１４を元の位置まで戻すことができ、各電線２を各電線挿入部１２から出して、工具本体１１を取り外すことができる。
【００３５】
また、図５に示すように、計器取替用の無停電工具１０は、電線挿入部１２、各電線用押さえ部材１４および各押し切り電極１５が４つから成っていてもよい。この場合、電源側の電線２および負荷側の電線２がそれぞれ２本ずつから成る単相２線式の計器１に使用することができる。
【符号の説明】
【００３６】
１  計器
２  電線
１０  計器取替用の無停電工具
１１  工具本体
２１  回路収納部
２２  押さえ部材挿入部
２３  押し切り電極挿入部
２４  螺合孔
２５  挿入孔
１２  電線挿入部
１２ａ  奥部孔
１３  受け部材
１４  電線用押さえ部材
２６  Ｖ字溝
２７  Ｕ字溝
２８  フランジ部
２９  貫通孔
１５  押し切り電極
３０  接続部
３１  留め部
３２  螺合部
３３  圧縮バネ
１６  発光表示部
１７  電流検出部
【図１】
2014098562.tif 000003
【図２】
2014098562.tif 000004
【図３】
2014098562.tif 000005
【図４】
2014098562.tif 000006
【図５】
2014098562.tif 000007